(57)【要約】【課題】  この発明は建物内の床面と天井面の間に、仮に固定して立てる仮設柱の支持機構に関して、特に柱面に方向性のある、断面が四角な角柱状の柱に特に適した支持機構につき、柱の上下間の全面の方向性を規制することが容易で、かつ構造が簡素な支持機構を実現することである。【解決手段】  上方へ開放し、底を有する立方体状で、底部には柱への取り付け手段を有する第１の箱体と、この第１の箱体に覆いかぶさるフタ状の第２の箱体と、縮長された後、反発して伸張する巻きバネとから成り、バネは第１の箱体の底部から開放した上方へ伸縮するように収納され、伸長時に第１の箱体の深さを越える長さを有し、第２の箱体が第１の箱体に覆いかぶされてバネを縮長して押下げられたときに、バネの反発力に抗して２つの箱体の位置関係を維持できる仮固定手段を有する支持機構によって、構造が簡素でありながら柱の上下間の全面の方向性を規制可能となる。【選択図】図１
2009013770.tif 000002
【特許請求の範囲】
【請求項１】
上方へ開放し、底を有する立方体状で、底部には柱への取り付け手段１３を有する第１の箱体１と、この第１の箱体１に覆いかぶさるフタ状の第２の箱体２と、縮長された後、反発して伸張する巻きバネ３とから成り、バネ３は第１の箱体１の底部から開放した上方へ伸縮するように収納され、伸長時に第１の箱体１の深さを越える長さを有し、第２の箱体２が第１の箱体１に覆いかぶされてバネ３を縮長して押下げられたときに、バネの反発力に抗して２つの箱体の位置関係を維持できる仮固定手段を有することを特徴とする支持機構。
【請求項２】
請求項１の発明において、第１の箱体１の周壁の一部に外方へ弾性を付与されて突出する掛かり部１２を有し、第２の箱体２は第１の箱体１の周壁の一部に突出して設けた前記掛かり部１２を受容する窪み状の受容部２２を有した仮固定手段から成ることを特徴とする支持機構。
【請求項３】
請求項１と請求項２の発明において、第２の箱体２の受容部２２が内面から外面へ貫通した穴であることを特徴とする支持機構。
【請求項４】
請求項１と請求項２と請求項３の発明において、第２の箱体２の受容部２２が内面に窪み状となる段部２３と、この段部近くに弾性を有する押し込みボタン部２４を有する事を特徴とする支持機構。
【請求項５】
上方へ開放し、底を有する立方体状で、底部には柱への取り付け手段１３を有する第１の箱体１と、この第１の箱体１に覆いかぶさるフタ状の第２の箱体２と、縮長された後、反発して伸長する巻きバネ３と、ピン４からなり、バネ３は第１の箱体１の底部から開放した上方へ伸縮するように収容され、伸長時に第１の箱体１の深さを越える長さを有し、第１の箱体１の周壁の一部に貫通した穴１４を有し、第２の箱体２は第１の箱体１に覆い被せた時に、第１の箱体１の周壁の一部に設けた前記貫通した穴１４と一致する位置に貫通した穴２５を有し、ピン４は第１の箱体１に設けた貫通した穴１４と第２の箱体２に設けた貫通穴２５の直径よりも小さい外径と、２つの穴の部位の２つの周壁の合計した厚さと同等またはこれを超える長さである棒状の軸部４１と、軸部４１の一端に引抜手段４２を有することを特徴とする支持機構。
【発明の詳細な説明】
【技術分野】
【０００１】  この発明は、建物内の床面と天井面の間に、仮に固定して立てる仮設柱の支持機構に関するものである。
【背景技術】
【０００２】  建物内の部屋を仮設の壁で仕切れるような場合、床面と天井面の間に柱を立てて、これらの柱に壁面材を取り付ける方法が行われている。恒久的な壁ではないため、柱は床面や天井面に対して傷をつけることとなる釘やねじなどの金具で固定することは避けられる。傷をつけない第１の固定手段として、柱の上端部にナット部を設けて、一端に座面部を有するボルトをそのナット部に一旦螺合しておいて、床面と天井面の間でボルトを逆回転して、徐々に高さを上げて調整をおこない、天井面に適宜の押し圧が加わる状態で固定する支持機構が用いられている。柱が丸いパイプ状である場合は、パイプの上端部にメネジを形成して、同様に座面部を有するボルトをそのメネジ部に螺合する機構も用いられている。これらは、柱の上端部のナットまたはメネジとボルトから成る機構の要部は同一である。ナット又はメネジは柱の上下両方の端部または下端部のみに用いることもできる。【０００３】  また、傷をつけない第２の固定手段として、柱の上端部に、圧縮力によって縮長し、力が開放されると反発して伸びる巻きバネを設けて、このバネの反発力によって床面と天井面の間で柱を支持する機構が知られている。この第２の固定手段を用いる場合、柱の上端部のバネを天井面に押し当てて、縮長させて床面と天井面の間に押し込むようにして柱を固定する。【０００４】  また、傷をつけない第３の固定手段として、第１の固定手段と、第２の固定手段を併用して、メネジ・オネジの組合せによる長さの調節と、バネの反発力を用いる支持機構が知られている。（例えば、特許文献１参照）。【０００５】
【特許文献１】  実用新案登録第２５１８１５６号
【発明の開示】
【発明の解決しようとする課題】
【０００６】  ところで、上記した従来の第１の支持機構は、例えば床面の沈下などによる床面と天井面の距離について若干の変動が生じた場合、柱の支持力を一気に失うという問題がある。したがって、この第１の支持機構は床面と天井面の間の距離が安定しているか、天井面の下向きの荷重などによって距離が短くなる傾向のある室内での使用に適するが、床面の沈下や天井面の浮きが生じる傾向のある室内での使用には適さない。
【０００７】  一方で第２の支持機構は、バネの反発力が有効に働く程度の床面の沈下にも柱の支持力を失いにくいという利点を有するが、柱を所定の位置に垂直に立てようとする場合、上端部のバネが常に天井面を押し上げる方向へバネの反発力が加わっているために、微妙な位置調整が困難であるという問題がある。
【０００８】  第１と第２の固定手段を併用した手段を用いる場合には、バネとメネジ・オネジの要素を組み合わせて用いるために、構造が複雑になり、製造コストも高くなるという問題がある。また、柱に方向性がある場合、例えば、断面が四角の柱で、室内側へ向くべき面が特定されている場合には、この手段を用いると柱の上端部または相対的に柱自体を回転させるために、柱の特定された全面を室内側へ向けることが困難になるという問題がある。したがって、柱面に方向性のない断面円形のパイプ状の柱に適した手段と言える。
【０００９】  この発明は柱面に方向性のある、断面が四角な角柱状の柱に特に適した支持機構に関して、柱の上下間の全面の方向性を規制することが容易で、かつ構造が簡素な支持機構を実現することを課題としている。
【課題を解決するための手段】
【００１０】  上記のような課題を解決するため、請求項１の発明は、上方へ開放し、底を有する立方体状で、底部には柱への取り付け手段１３を有する第１の箱体１と、この第１の箱体１に覆いかぶさるフタ状の第２の箱体２と、縮長された後、反発して伸張する巻きバネ３とから成り、バネ３は第１の箱体１の底部から開放した上方へ伸縮するように収納され、伸長時に第１の箱体１の深さを越える長さを有し、第２の箱体２が第１の箱体１に覆いかぶされてバネ３を縮長して押下げられたときに、バネの反発力に抗して２つの箱体の位置関係を維持できる仮固定手段を有することを特徴とする支持機構である。
【００１１】  請求項２の発明は、請求項１の発明において、第１の箱体１の周壁の一部に外方へ弾性を付与されて突出する掛かり部１２を有し、第２の箱体２は第１の箱体１の周壁の一部に突出して設けた前記掛かり部１２を受容する窪み状の受容部２２を有した仮固定手段から成ることを特徴とする支持機構である。
【００１２】  請求項３の発明は、請求項１と請求項２の発明において、第２の箱体２の受容部２２が内面から外面へ貫通した穴であることを特徴とする支持機構である。
【００１３】  請求項４の発明は、請求項１と請求項２と請求項３の発明において、第２の箱体２の受容部２２が内面に窪み状となる段部２３と、この段部近くに弾性を有する押し込みボタン部２４を有する事を特徴とする支持機構である。
【００１４】  請求項５の発明は、上方へ開放し、底を有する立方体状で、底部には柱への取り付け手段１３を有する第１の箱体１と、この第１の箱体１に覆いかぶさるフタ状の第２の箱体２と、縮長された後、反発して伸長する巻きバネ３と、ピン４からなり、バネ３は第１の箱体１の底部から開放した上方へ伸縮するように収容され、伸長時に第１の箱体１の深さを越える長さを有し、第１の箱体１の周壁の一部に貫通した穴１４を有し、第２の箱体２は第１の箱体１に覆い被せた時に、第１の箱体１の周壁の一部に設けた前記貫通した穴１４と一致する位置に貫通した穴２５を有し、ピン４は第１の箱体１に設けた貫通した穴１４と第２の箱体２に設けた貫通した穴２５の直径よりも小さい外径と、２つの穴の部位の２つの周壁の合計した厚さと同等またはこれを超える長さである棒状の軸部４１と、軸部４１の一端に引抜手段４２を有することを特徴とする支持機構である。
【発明の効果】
【００１５】  本発明の仮設柱の支持機構は、第１の箱体１と第１の箱体１に覆い被さる第２の箱体２とそれらに収納されるバネ３からなり、構造を簡素にしたため、製造コストを抑えることができる。
【００１６】  さらに、バネ３が収納される第１の箱体１の内周面はバネ３のガイドとして、外周面は第２の箱体２のガイドとしての役割を果たし、バネの座屈を防ぎバネ縮長時に第２の箱体２がずれずにスムースに下方向に呼び込むことができる。
【００１７】  次に本発明は、柱自体に複雑な加工を施すことなく、図示はしていないが第１の箱体１の底部に設けた固定具用の穴を介してビスや釘を用いて柱に簡単に取り付けた後、その後、バネ３と第２の箱体２はめ込むことで仮設の準備を完了することができる。
【００１８】  また、第２の箱体２が第１の箱体１に覆いかぶされてバネ３を縮長した状態を維持できる仮固定手段を有しているため、従来のように手もしくは天井面を使って、バネを押し縮めながら作業する労力も省かれ、柱の位置調整や垂直調整も容易に行うことができる。このことにより、設置時さらには設置後の移動についても容易に作業を行うことができる。
【００１９】  さらに、仮固定を解除する場合にも、ネジを回したりなどの手間のかかる作業の必要がなく、一工程でできるため、例えば、天井付近など高所の作業でも楽に作業をすることができる。
【００２０】  従って、本発明を利用して柱を設置する場合、メネジ・オネジを利用したもののように、柱の上端部または柱を回転させたりする必要がなく、柱の向くべき面が特定されている場合、例えば、なるべく節のない部分を室内側へ向かせたい場合、または、柱の特定された全面を平行に設置させたい場合、または、断面が長方形の柱で長辺面もしくは短辺面を意図的に設置したい場合などでも、容易に設置することできる。
【００２１】  また、バネの反発力により柱を支持しているため、バネの反発力が有効に働く程度の床面の沈下や、ある程度の振動に対しても柱の支持力を失いにくい。
【発明を実施するための最良の形態】以下、本発明の実施形態を、図面に基づいて説明する。【００２２】  図１は、本発明の仮設柱の支持機構の構成を表す斜視図である。
同図に示すように第１の箱体１と、第１の箱体１に覆い被さる第２の箱体２と、バネ３とからなる構成をしている。その際、バネ３は伸長時に第１の箱体１の深さを越える長さを有し、柱を天井面と床面にしっかりと突っ張れるだけの荷重を有している。より荷重が必要な場合は、バネ数、直径を増やしても良い。尚、バネの数は奇数、偶数を問わないが少なくとも伸張時天井面や床面に対し均等に荷重が負荷されるよう第１の箱体１の底面の中心部から同半径上に配置することが好ましい。【００２３】  また、第１の箱体１の窪み部１１は、バネ３が保持できる形状になっている。したがってバネは伸張時、箱内で倒れることがないので長期にわたり天井面に突っ張ることが可能となる。その際、バネ３を保持するための形状は成形材料を少なくする為に肉抜きをした例えばバネ外周と全面的に接触するようにした筒状としたり、バネの保持と共に第１の箱体１の強度を上げる為に穴の肉抜きをしていない凹部形状とすることもできる。【００２４】  図２は、本発明の仮設柱の支持機構の実施形態のＡ−Ａ′の部分断面図である。同図に示すように、第１の箱体１に設けた貫通穴などの取り付け手段１３を通してネジまたは釘等にて柱５に取り付けて使用する。柱５は、バネ３の反発力により固定されるため、反発力が有効に働く程度の床面の沈下やある程度の振動にも支持力を失いにくい。【００２５】  図３は、本発明の仮設柱の支持機構において第２の箱体２を押し込んで、仮固定を行い仮設の準備ができた状態を表す斜視図である。なお、図１及び図３に示すように、第１の箱体１の周壁の一部に外方へ弾性を付与されて突出する掛かり部１２が、第２の箱体２の周壁の一部に突出する掛かり部１２を受容する受容部２２に引っ掛かり固定されている。【００２６】  また、突出する掛かり部１２とそれを受容する受容部２２は円形でも、半円形でも、四角形でも良いが、掛かり部１２を受容部２２に確実に固定するために、掛かり部１２と受容部２２が引っ掛かる部分は互いに隙間なく面接触する形状、例えば互いに係止している際、バネへの力を分散できる曲面、特に掛かり部１２と受容部２２の内周係止面は円弧状が望ましい。【００２７】  ここで、第１の箱体１と第２の箱体２とを仮固定する手段として、図４の断面図に示すように、受容部を窪み状となる段差２３にしても良い。これは、受容部を窪み状となる段差２３にすることで、第２の箱体２に受容部として貫通穴を開ける必要がなく、外観がより良くなり、見た目を優先する場合に効果を発揮する。【００２８】  また、図５、及び図６に示すように、ピン４を用いて仮固定しても良い。これは、ピンを用いることにより、第１の箱体１及び第２の箱体２にピン４の直径より大なる貫通した穴１４及び貫通した穴２５を開けるだけになり、より構造がシンプルになりコストの低減が図れる。【００２９】  いずれの仮固定手段を用いた場合でも、柱の仮設位置を調整して定めた後、例えば図１の場合、仮固定を解除する工程は、直接掛かり部１２を押したり、押し込みボタン２４を押したり、図５の場合はピン４を抜くだけであり、一工程で容易に作業することができる。【００３０】  なお、図１に示すように、おおよそ第２の箱体２は立方体形状を��ているが、天井面、床面への接触面積を大きくできる逆長靴状の形状でも構わない。なお、逆長靴状とすることで仮に柱を転倒させるような回転力が働いたとしても逆長靴状の先端突出した部分６を転倒方向に対し、後側となるように配置しておけば、先端突出した部分６が天井面に食い込み転倒を抑止することができる。
【図面の簡単な説明】
【００３１】
【図１】  本発明の各部品を示す参考斜視図である。
【図２】  図１におけるＡ−Ａ′の部分断面図である。
【図３】  本発明の実施形態を示す参考斜視図である。
【図４】  本発明の他の実施形態を示す参考部分断面図である。
【図５】  本発明の他の実施形態を示す参考斜視図である。
【図６】  本発明の他の実施形態を示す各部品の参考斜視図である。
【符号の説明】
【００３２】    １    第１の箱体
１１    窪み部
１２    掛かり部
１３    取り付け手段
１４    貫通した穴
２    第２の箱体
２１    窪み部
２２    受容部
２３    段部
２４    押し込みボタン
２５    貫通した穴
３    バネ
４    ピン
４１    軸
４２    引抜手段
５    柱
６    先端突出した部分
【図１】
2009013770.tif 000003
【図２】
2009013770.tif 000004
【図３】
2009013770.tif 000005
【図４】
2009013770.tif 000006
【図５】
2009013770.tif 000007
【図６】
2009013770.tif 000008